(57)【特許請求の範囲】
【請求項１】
略円錐台形状の外形を有する本体部、および前記本体部の上面に設けられた少なくとも２つの突起部を備える中栓であって、
前記本体部の上面は、十字のスリットから構成された吐出部が設けられた平坦な中央部、および、外周から前記中央部に向かって下方に傾斜した傾斜部からなり、逆円錐台形状を有しており、
前記本体部は内部に前記スリットによって外部と連通する空洞を有し、前記空洞は略円錐台形状を有し、上面が逆円錐台形状を有しており、
前記突起部は、前記本体部の傾斜部の一部分に配置されており、上端から前記中央部に向かって下方に傾斜する傾斜面を有し、
前記突起部に上方から力が作用すると、前記突起部の傾斜面が前方に倒れ、前記本体部の上面が凹むように変形することにより、前記スリットが開いて前記吐出部として機能することを特徴とする中栓。
【請求項２】
前記本体部の中央部の底面は平坦な面を有することを特徴とする請求項１に記載の中栓。
【請求項３】
前記本体部の上面の傾斜部に前記突起部が対向するように２つ配置されている場合、前記突起部に上方から力が作用した時に、対向する前記突起部は上端が互いに近づいて接触することを特徴とする請求項１または２に記載の中栓。
【請求項４】
前記本体部の上面の傾斜部に前記突起部が３つ以上配置されている場合、前記突起部に上方から力が作用した時に、隣接する前記突起部は上端の一部が互いに接触することを特徴とする請求項１または２に記載の中栓。
【請求項５】
前記突起部が互いに対向して配置されており、前記十字のスリットの少なくとも１つが、１つの前記突起部から対向するもう１つの前記突起部に向かって延伸するように配置されていることを特徴とする請求項１〜４のいずれか１項に記載の中栓。
【請求項６】
前記突起部の垂直方向の断面形状が略三角形であることを特徴とする請求項１〜５のいずれか１項に記載の中栓。
【請求項７】
前記本体部の下方に略円筒形の部分が設けられ、前記略円筒形の部分に容器への取り付けに使用される取付部を備えることを特徴とする請求項１〜６のいずれか１項に記載の中栓。
【請求項８】
前記中栓が、弾性変形可能な材質からなることを特徴とする請求項１〜７のいずれか１項に記載の中栓。
【請求項９】
請求項１〜８のいずれか１項に記載の中栓を備えたことを特徴とする容器。
【請求項１０】
前記中栓が口部に取り付けられた容器本体、および前記容器本体に着脱可能な蓋を有することを特徴とする請求項９に記載の容器。
【請求項１１】
前記蓋には、前記蓋を閉めた時に、前記中栓の吐出部と当接する突起が設けられていることを特徴とする請求項１０に記載の容器。
【請求項１２】
前記中栓を前記容器本体の口部に固定するための固定具を有し、
前記固定具は、円筒形の側面と、中央に開口を有する上面とを有し、前記側面の内周面には前記容器本体の口部の外周面と係合する係合部が形成され、前記上面の開口の周囲が、前記中栓に設けられた鍔状の取付部を上方から前記口部の上端に押さえ付けて前記中栓が固定されることを特徴とする請求項１０または１１に記載の容器。
【発明の詳細な説明】
【技術分野】
【０００１】
本発明は、中栓および中栓を備える容器に関する。
【背景技術】
【０００２】
薬品、化粧水などの液体または流動体が収容され、前記液体または流動体を吐出するために、容器の口部に吐出部を有する中栓を取り付けた容器が用いられている。このような容器において前記中栓に力を加えて吐出部から液体等を排出する構造としては、様々な形態がこれまでに用いられている。特に、患部等に先端を押し付けながら液体等を吐出する容器の場合、先端に吐出部だけではなく、患部等と接触する突起状の部材を設けたものが存在する。
【０００３】
例えば、特許文献１には、注出口から突出した上下動可能なノズル部材を有する中栓が開示されており、前記ノズル部材を患部に押し当てると、前記ノズル部材が下方に移動することによって、注出口から薬液が吐出される構造が開示されている。また、特許文献２には、ドーム形状の弁部にスリットからなる弁機構を設け、弁部の中央に設けた突起を押すことでスリットが開く構造が開示されている。
【先行技術文献】
【特許文献】
【０００４】
【特許文献１】特開２００８−１４３５８７号公報
【特許文献２】特開２００３−７２８１６号公報
【発明の概要】
【発明が解決しようとする課題】
【０００５】
特許文献１のように上下動可能なノズルを用いた中栓では、部品数が多くなり構造が複雑になるという問題があり、また、構造が複雑になるとノズル部材の可動不良が生じるという問題があった。
【０００６】
特許文献２の構造では、突起に力を加えるとドーム形状の弁部が変形することでスリットが開く構造を用いており、特許文献１よりも簡単な構造を実現しているが、粘性度が高い液体の場合、スリットが十分に開かないと液体が吐出されないことから、突起に対して力を過剰に加えてしまい、いわゆる、ボタ落ちと呼ばれる、液体等が突然大量に吐出されるおそれがある。
【０００７】
そこで、本発明は、中栓として必要な密閉性を確保しながら、粘性度の高い内容物であっても、スムーズに吐出することができ、さらにボタ落ちを生じることが無い、中栓および前記中栓を備える容器を提供することを目的とする。
【課題を解決するための手段】
【０００８】
本発明の中栓は、略円錐台形状の外形を有する本体部、および前記本体部の上面に設けられた少なくとも２つの突起部を備える中栓であって、前記本体部の上面は、中央部に十字のスリットから構成された吐出部を備え、前記吐出部に向かって下方に傾斜したすり鉢状を有しており、前記突起部は、前記本体部の上面の下方に傾斜した部分に配置されており、上端から前記中央部に向かって下方に傾斜する傾斜面を有し、前記突起部に上方から力が作用すると、前記突起部の傾斜面が前方に倒れ、前記本体部の上面が凹むように変形することにより、前記スリットが開いて前記吐出部として機能することを特徴とする。
【０００９】
前記本体部の上面の中央部は上面および底面共に平坦な面を有し、前記平坦な面内に前記スリットが位置している。
【００１０】
前記本体部の上面に前記突起部が対向するように２つ配置されている場合、前記突起部に上方から力が作用した時に、対向する前記突起部は上端が互いに近づいて接触し、前記本体部の上面に前記突起部が３つ以上配置されている場合は、前記突起部に上方から力が作用した時に、隣接する前記突起部は上端の一部が互いに接触する。
【００１１】
前記突起部が互いに対向して配置されており、前記十字のスリットの少なくとも１つが、１つの前記突起部から対向するもう１つの前記突起部に向かって延伸するように配置されている。
【００１２】
前記突起部の垂直方向の断面形状を略三角形とする。
【００１３】
前記本体部の下方に略円筒形の部分が設けられ、前記略円筒形の部分に容器への取り付けに使用される取付部を備える。
【００１４】
前記中栓が、弾性変形可能な材質からなることが好ましい。
【００１５】
本発明の容器は、前記中栓を備えることを特徴とし、前記中栓が口部に取り付けられた容器本体、および前記容器本体に着脱可能な蓋を有しており、前記蓋には、前記蓋を閉めた時に、前記中栓の吐出部と当接する突起が設けられている。
【００１６】
前記中栓を前記容器本体の口部に固定するための固定具を有し、前記固定具は、円筒形の側面と、中央に開口を有する上面とを有し、前記側面の内周面には前記容器本体の口部の外周面と係合する係合部が形成され、前記上面の開口の周囲が、前記中栓に設けられた鍔状の取付部を上方から前記口部の上端に押さえ付けて前記中栓が固定される。
【発明の効果】
【００１７】
本発明の中栓は、略円錐台形状の外形を有する本体部、および前記本体部の上面に設けられた少なくとも２つの突起部を備える中栓であって、前記本体部の上面は、中央部に十字のスリットから構成された吐出部を備え、前記吐出部に向かって下方に傾斜したすり鉢状を有しており、前記突起部は、前記本体部の上面の下方に傾斜した部分に配置されており、上端から前記中央部に向かって下方に傾斜する傾斜面を有し、前記突起部に上方から力が作用すると、前記突起部の傾斜面が前方に倒れ、前記本体部の上面が凹むように変形することにより、前記スリットが開いて前記吐出部として機能することにより、粘性度の高い液体であっても、スムーズに吐出部から吐出することができる。
【００１８】
また、本発明の中栓は、前記本体部の上面に前記突起部が対向するように２つ配置されている場合、前記突起部に上方から力が作用した時に、対向する前記突起部は上端が互いに近づいて接触し、前記本体部の上面に前記突起部が３つ以上配置されている場合は、前記突起部に上方から力が作用した時に、隣接する前記突起部は上端の一部が互いに接触することにより、過剰な力が作用しても吐出部の開き具合を制御することができるので、ボタ落ちと呼ばれる、液体等が突然大量に吐出される現象を防止することができる。
【００１９】
本発明の容器は、上述したように本発明の中栓に関する効果を奏する。また、本発明の容器は、容器本体と着脱可能な蓋を有し、蓋を閉めた時に、前記中栓の吐出部と当接する突起が設けられていることにより、蓋を閉じている時に容器に収容された液体の漏出を防ぐことができる。さらに、中栓を容器本体の口部に固定するための固定具を有することで、中栓を容器に着脱可能に取り付けることができ、容器内の液体の補充を簡単に行うことができる。
【図面の簡単な説明】
【００２０】
【図１】本発明の第１の実施形態の中栓の斜視図である。
【図２】第１の実施形態の中栓の互いに直交する２方向の断面図である。
【図３】第１の実施形態の中栓の平面図である。
【図４】第１の実施形態の中栓の正面図である。
【図５】（ａ）は吐出部が開いた状態の第１の実施形態の中栓の断面図であり、（ｂ），（ｃ）は、（ａ）からさらに吐出部が開いた状態の中栓の互いに直交する２方向の断面図である。
【図６】左半分が蓋を開けた状態の本発明の容器の断面図であり、右半分が蓋を開けた状態の本発明の容器の正面図である。
【図７】蓋を閉じた状態の本発明の容器の断面図である。
【図８】第２の実施形態の中栓の斜視図である。
【図９】第２の実施形態の中栓の断面図である。
【図１０】第２の実施形態の中栓の平面図である。
【図１１】吐出部が開いた状態の第２の実施形態の中栓の断面図である。
【図１２】吐出部が開いた状態の第２の実施形態の中栓の平面図である。
【発明を実施するための形態】
【００２１】
本発明の中栓および容器について図を用いて以下に詳細に説明する。図１〜５が本発明の第１の実施形態の中栓１に関する図面であり、図６，７が前記中栓１を備える容器１１の図面である。
【００２２】
本発明の中栓１は、薬品等の液体または流動体を吐出するために、容器の口部に取り付けられるものであり、図１〜４に示すように、略円錐台形状の外形を有する本体部２、および前記本体部２の上面に対向するように設けられた２つの突起部３を備える。図１，２に示すように、前記本体部２の上面は、スリット６からなる吐出部が設けられた平坦な中央部５、および、外周から前記中央部５に向かって下方に傾斜した傾斜部４を有し、前記傾斜部４に前記突起部３が配置されている。
【００２３】
前記突起部３は、図２（ａ）に示すように、上端から前記中央部５に向かって傾斜する傾斜面、および上端から前記本体部２の上端の外周に向かって傾斜する傾斜面を有し、垂直方向の断面形状が三角形である。そして、前記突起部３の前記中央部５に向かう傾斜面には、前記中央部５の外周に沿って窪みが形成されている。図３に示すように、２つの前記突起部３は互いに対向し、上端が互いに平行となるように配置されている。
【００２４】
前記突起部３の形状は、少なくとも上端から前記中央部５に向かって傾斜する傾斜面を有すればよく、上端から前記本体部２の上端の外周に向かって傾斜する傾斜面は曲面、折れ曲がった面でも可能であり、この場合、垂直方向の断面形状は三角形以外となる。また、前記突起部３の個数についても、２つに限定するものではなく、３つ以上とすることも可能であり、４つの場合については、第２の実施形態で説明する。
【００２５】
図３に示すように、前記吐出部は、略円形の平面形状を有する前記中央部５の中心に、十字に形成されたスリット６からなり、前記スリット６が開くことで液体等を吐出するための前記吐出部として機能する。十字の前記スリット６は、十字の１つの直線が一方の突起部３から他方の突起部３へと延伸するように配置されている。そして、前記スリット６は前記中央部５の表面から底面へと貫通しているが、図２に示すように、通常は閉じた状態となっている。
【００２６】
前記中栓１は、さらに、前記本体部２の下方に、接続部９、円筒部７、取付部８が設けられており、これらは、主に、前記中栓１を容器に固定する際に用いられる。前記接続部９は、前記本体部２の下端から前記円筒部７に向かって径が広がるように傾斜した部分であり、前記円筒部７の下方の外周を取り囲むフランジの形態で取付部８が設けられ、前記取付部８の上面には、全前記円筒部７の外周に沿って環状の窪み１０が設けられている。前記中栓１の容器本体への取り付け方法については後で詳細に説明する。
【００２７】
前記中栓１は、前記本体部２、前記突起部３、前記接続部９、前記円筒部７、および、前記取付部８が一体形成されており、図２に示すように、内部に空洞を有している。そして、本発明の中栓１は、前記突起部３に力が加えられた時に変形して液体等が通過可能となり、力が加えられないときに液体等が通過できないという吐出部の動きをスムーズに行うために、弾性変形可能な材質で成形されていることが好ましい。前記中栓１が弾性変形可能な材質で一体成形されることにより、簡便に製造することが可能となる。
【００２８】
次に、前記中栓１の吐出部の開閉動作について説明する。前記中栓１は、何も力が加えられていない状態では、図２に示すように、スリット６が閉じた状態であり、この状態では前記スリット６を液体等は通過することができない。
【００２９】
前記中栓１の突起部３を患部等に押し付けることによって、前記突起部３に上方から力を加えると、前記中栓１は弾性変形可能な材質で形成されているために前記突起部３を中心に変形が生じる。前記突起部３の上方から作用する力によって、２つの前記突起部３が、図５（ａ）に矢印で示すように、互いに対向する傾斜面が前方へと倒れるように動く。前記中栓１は、前記突起部３のこのような動きによって前記中央部５が下方へと押されながら、図５（ａ）に矢印で示すように、左右方向に引っ張られるように変形し、同時に、前記本体部２の外周面が内側へと倒れながら外側に膨らむように変形し、その結果、上面が凹むように変形する。そして、図５（ａ）に示すように、前記スリット６は、下方が開いた略逆Ｖ字型形状の断面へと変形する。
【００３０】
このように、前記スリット６が変形した状態では、前記本体部２内から液体等が前記スリット６を通過することが可能となり、前記スリット６は吐出部として機能し始める。図５（ａ）の状態から、前記突起部３に引き続き上方から力を加えることで、前記中栓１をさらに変形させることができる。
【００３１】
図５（ａ）の状態から、さらに前記突起部３に上方から力を加えると、２つの前記突起部３の上端が互いに近づくように前記中栓１は変形し、図５（ｂ）に示すように、２つの前記突起部３の上端は互いに当接した状態となる。この時、前記中央部５がさらに左右方向に引っ張られるように前記中栓１は変形しており、前記スリット６はさらに、下方が開くことから、液体が通過し易くなり、粘性度の高い液体であってもスムーズに吐出部から吐出され、吐出量も図５（ａ）の状態よりも増加する。
【００３２】
図５（ｂ）の状態では、吐出部の上方を２つの前記突起部３が塞いだ状態となっているが、前記傾斜部４の前記突起部３が存在しない方向に、図５（ｃ）に矢印で示すような通路が存在し、前記スリット６から吐出された液体は前記通路を通って外部へと吐出されることで、吐出部として十分機能する。図５（ａ）の状態では、対向する２つの前記突起部３の間には空間が存在することから、前記吐出部から吐出された液体は２つの前記突起部３の間を通って吐出されることになる。
【００３３】
図５（ａ）および図５（ｂ）の状態から、前記突起部３への上方からの力を解除すると、前記中栓１の変形は元に戻り、前記スリット６は再び閉じられ、図２の状態に戻るので、吐出部は閉じた状態となり、液体等は通過できなくなる。このように、前記スリット６は変形することで開閉する弁として機能し、吐出部の開閉が行われる。
【００３４】
前記中栓１は、図５（ｂ）のように対向する２つの突起部３が上端で当接した状態から、さらに力を加えた場合、前記突起部３を含めた前記中栓１をさらに弾性変形させることも可能であることから、前記スリット６をさらに開くことも可能である。しかしながら、前記中栓１は、図５（ｂ）の状態からの変形は、図２の状態から図５（ｂ）の状態への変形に比べると、変形速度は大きく低下し、変形量も少なくなる。
【００３５】
このような前記中栓１の変形は、前記本体部２が略円錐台形状を有し、略三角形状の断面を有する前記突起部３が前記本体部２の傾斜部４に設けられていることにより、よりスムーズに行われる。また、前記中央部５は、上面および底面が平坦な面であることにより、前記スリット６が開き易くなっている。前記中栓１の変形は、主に、前記本体部２より上で行われるが、前記接続部９および前記円筒部７も多少は変形する。
【００３６】
前記中栓１の変形は、弾性変形可能な材質の特性を利用することが好ましい。弾性変形可能な材質としては、エラストマー、シリコンなどを用いることができる。このような材質を用いて一体形成することで、本発明の中栓１の変形はスムーズに行われるようになる。
【００３７】
本発明の中栓１は、前記突起部３に力が作用して変形すると、対向する前記突起部３の上端が互いに当接することから、過剰な力が加えられても前記スリット６が開き過ぎるのを防止することができるので、ボタ落ちを防ぐことができる。そして、前記突起部３の大きさ、傾斜面の角度、対向する突起部３の間隔などを調節することで、スリット６の開き具合を調節することも可能である。
【００３８】
次に、本発明の容器１１について説明する。本発明の容器１１は、図６，７に示すように、前記中栓１を容器本体１４に取り付けたものであり、前記容器本体１４、前記中栓１、および、蓋１５から構成され、前記中栓１を利用して前記容器本体１４内の液体等を吐出することができる。図６，７に示すように、前記中栓１は、前記容器本体１４に嵌合された口部１３に固定具１２を用いて容器本体１４に着脱可能に取り付けられており、前記蓋１５はねじ係合によって前記容器本体１４に開閉可能に取り付けられている。
【００３９】
前記固定具１２は、円筒形の側面と中央に開口を有する上面とを有する。さらに前記固定具１２には、前記側面の内周面に前記容器本体１４に設けられた口部１３の外周面と係合する係合部が形成され、前記上面の開口の周囲は、前記中栓１の取付部８を上方から押さえ付ける部材として機能する。そして、前記開口の周囲の下面には下方に突出する環状の突起１７が形成され、前記環状の突起１７が前記中栓１の取付部８の窪み１０に挿入される。
【００４０】
前記固定具１２による中栓１の固定方法について説明する。前記中栓１を前記口部１３の上端に配置し、前記固定具１２を前記中栓１の上方から前記口部１３と係合させる。この時、前記中栓１の取付部８は前記固定具１２によって上方から押さえ付けられ、同時に、前記固定具１２の環状の突起１７が前記取付部８の窪み１０に上方から挿入されていることから、前記固定具１２によって前記中栓１が固定される。この時、前記中栓１は、前記接続部９、前記本体部２および前記突起部３が前記固定具１２の開口から上方に突出し露出された状態で固定されている。このようにして前記固定具１２によって前記中栓１が容器本体１４に固定されると、前記中栓１は前記容器１１から容器本体１４内の液体等を吐出可能となる。前記中栓１を固定した後、前記蓋１５を閉めると、本発明の容器１１が完成する。
【００４１】
前記中栓１の前記容器本体１４への取り付け方法については他の方法を用いることも可能であり、例えば、固定具等の部材を用いないで、直接、前記中栓１を容器本体１４に嵌め込んで固定することも可能である。固定具についても他の構造を用いることが可能である。
【００４２】
前記蓋１５の内面には、前記中栓１の中央部５の上面に当接する、略円柱形状の下方に突出した突起１６が形成されている。前記突起１６は前記蓋１５を閉めた時に、図７に示すように、対向する前記突起部３の間に挿入されて前記中央部５の上面と当接することで、前記中栓１の吐出部を閉じる機能を生じる。前記中央部５は、上面および平面を平坦な面で構成しているために、前記容器本体１４内の液体によって前記中央部５の底面に大きな力が作用した場合、前記スリット６が開く方向に変形する可能性があるが、前記突起１６が前記吐出部を上から押えることで、このような前記中央部５の変形を抑制して、前記中栓１の吐出部の密閉状態を向上させ、前記容器１１内の液体等が漏出することを確実に防止することができる。
【００４３】
前記突起１６は、前記中央部５の上面に当接した時、その側面の一部は、前記突起部３の傾斜面に設けられた窪み内に位置している。このように、前記突起部３の傾斜面に設けられた窪みは、前記突起１６の形状に合わせて形成すればよく、前記突起１６の大きさによっては、傾斜面に窪みを設けないことも可能である。
【００４４】
このように前記中栓１を備える本発明の容器１１は、従来よりも簡単な構造の中栓１により、粘性度の高い液体であってもスムーズに液体を吐出することができ、さらに、前記中栓１によるマッサージ機能を有することも可能である。例えば、容器１１を薬品の用途として使用する場合、中栓１の突起部３を身体に押し付けて薬品を吐出しながら突起部３によってマッサージを効果的に行うことが可能となる。その他にも、患部に液体等を吐出しながらマッサージを行うことが求められる薬品、化粧品等の容器としても使用可能であり、その他にも様々な用途に用いることが可能である。
【００４５】
容器１１にマッサージ機能を付加する場合、前記中栓１の突起部３の数、形状、大きさ等を変更し、刺激の強さ等を変えることも可能である。例えば、前記突起部３の先端の幅を狭くし、刺激を強くすることも可能である。
【００４６】
次に、第２の実施形態の中栓２１について、説明する。図８〜１２に示すように、前記中栓２１は、略円錐台形状の外形を有する本体部２２、および前記本体部２２の上面に等間隔で配置された４つの突起部２３を備える。図８，９，１０に示すように、前記本体部２２の上面は、スリット２６からなる吐出部が設けられた平坦で矩形の中央部２５、および、外周から前記中央部２５に向かって下方に傾斜した傾斜部２４を有し、前記傾斜部２４に前記突起部２３が等間隔で配置されている。
【００４７】
前記中栓２１は、さらに、前記本体部２２の下方に、接続部２９、円筒部２７、上面に窪み３０を有する取付部２８が設けられているが、これらの部材は、主に、前記中栓２１を容器に固定する際に用いられ、第１の実施形態の中栓１の接続部９、円筒部７、上面に窪み１０を有する取付部８と同じ形態であることから詳細な説明は省略する。
【００４８】
前記突起部２３は、図９に示すように、上端から前記中央部２５に向かって傾斜する傾斜面、および上端から前記本体部２２の上端の外周に向かって傾斜する傾斜面を有し、垂直方向の断面形状が三角形である。そして、図１０示すように、４つの前記突起部２３が等間隔で前記本体部２２の上面の傾斜部２４に等間隔で配置されている。
【００４９】
図１０に示すように、前記吐出部は、略矩形の平面形状を有する前記中央部２５の中心に、十字に形成されたスリット２６からなり、前記スリット２６が開くことで液体等を吐出するための前記吐出部として機能する。十字の前記スリット２６は、十字の２つの直線がぞれぞれ一方の突起部２３から他方の突起部２３へと延伸するように配置されている。そして、前記スリット２６は前記中央部２５の表面から底面へと貫通しているが、図１１に示すように、通常は閉じた状態となっている。
【００５０】
前記中栓２１は、前記本体部２２、前記突起部２３、前記接続部２９、前記円筒部２７、および、前記取付部２８が、弾性変形可能な材質、例えば、エラストマー、シリコンなどを用いて一体形成されている。
【００５１】
次に、前記中栓２１の吐出部の開閉動作について説明する。前記中栓２１は、何も力が加えられていない状態では、図９に示すように、スリット２６が閉じた状態であり、この状態では前記スリット２６を液体等は通過することができない。
【００５２】
前記中栓２１の突起部２３に上方から力を加えると、前記中栓２１は弾性変形可能な材質で形成されているために前記突起部２３を中心に変形が生じる。前記突起部２３の上方から作用する力によって、４つの前記突起部２３が、図１１に矢印で示すように、内側の傾斜面が前方へと倒れるように動く。前記突起部２３のこのような動きによって前記中央部２５は、図１１に矢印で示すように、左右方向に引っ張られるように変形し、同時に、前記本体部２２の外周面が内側へと倒れながら外側に膨らむように変形し、その結果、上面が凹むように変形する。そして、前記突起部２３は、図１２に示すように、その上端が隣接する前記突起部２３と当接した状態となる。
【００５３】
この時、図１１に示すように、前記スリット２６は、下方が開いた略逆Ｖ字型形状の断面へと変形している。このように、前記スリット２６が変形した状態では、前記本体部２２内から液体等が前記スリット２６を通過することが可能となり、前記スリット２６は吐出部として機能する。
【００５４】
またこの時、前記中栓２１は、図１０に示すように、４つの前記突起部２３は、吐出部の上方を塞いでおらず、図１２に示すように、矩形の開口が形成されていることから、前記開口が液体の通路となり、この通路を通じて液体が吐出されることになる。
【００５５】
図１１，１２の状態から、前記突起部２３への上方からの力を解除すると、前記中栓２１の変形は元に戻り、前記スリット２６は再び閉じられ、図９，１０の状態に戻るので、吐出部は閉じた状態となり、液体等は通過できなくなる。このように、前記スリット２６は変形することで開閉する弁として機能し、吐出部の開閉が行われる。
【００５６】
前記中栓２１は、図１２に示すように、前記突起部２３の上端が隣接する他の突起部２３の上端と当接した状態から、さらに力を加えた場合、前記突起部２３を含めた前記中栓２１をさらに弾性変形させることも可能であり、これにより、前記スリット２６をさらに開くことも可能である。しかしながら、前記中栓２１は、図１２の状態からの変形は、図９，１０の状態から図１１，１２の状態への変形に比べると、変形速度は大きく低下し、変形量も少なくなる。
【００５７】
このように、第２の実施形態の中栓２１も、スムーズに変形することで、前記スリット２６が開き易く、粘性度の高い液体であってもスムーズに吐出することができる。また、中栓２１は、力が作用して変形すると隣接する突起部２３の上端が互いに当接することから、過剰な力が加えられても前記スリット２６が開き過ぎるのを防止することができるので、ボタ落ちを防ぐことができる。そして、前記スリット２６の上方に通路が存在することから、粘性度の高い液体であってもスムーズに外部へと吐出することができる。
【００５８】
本発明の中栓は、略円錐台形状の本体部、前記本体部の傾斜部に設けられた複数の突起部、平坦な中央部を用いることにより、吐出部のスリットがスムーズに開閉することにより、粘性度の高い液体であっても、確実に吐出することができ、また、突起部の先端が互いに当接することにより、スリットの開き具合を調節することができるので、ボタ落ちを防止することも可能である。
【符号の説明】
【００５９】
１，２１    中栓
２，２２    本体部
３，２３    突起部
４，２４    傾斜部
５，２５    中央部
６，２６    スリット
７，２７    円筒部
８，２８    取付部
９，２９    接続部
１０，３０  窪み
１１        容器
１２        固定具
１３        口部
１４        容器本体
１５        蓋
１６        突起
１７        環状の突起
【図１】
0006775986.tif 000002
【図２】
0006775986.tif 000003
【図３】
0006775986.tif 000004
【図４】
0006775986.tif 000005
【図５】
0006775986.tif 000006
【図６】
0006775986.tif 000007
【図７】
0006775986.tif 000008
【図８】
0006775986.tif 000009
【図９】
0006775986.tif 000010
【図１０】
0006775986.tif 000011
【図１１】
0006775986.tif 000012
【図１２】
0006775986.tif 000013